(57)【要約】【課題】  同一のコンテンツに対して、複数形式のファイルが存在する環境においても、ユーザに対して、煩雑な作業なくコンテンツの操作が可能な操作性を持つデジタルデータ再生装置を提供する。【解決手段】  デジタルデータ再生装置において、内蔵記憶装置１０４と、再エンコード手段１１０と、内蔵コンテンツの一覧表示を行う内蔵コンテンツ一覧表示手段１０７と、内蔵コンテンツのファイルに対応する別エンコード方式コンテンツのファイルを、内蔵記憶装置１０４および外部記憶装置１０５，１０６より検索する別エンコードファイル検索手段１０８と、別エンコードファイル検索手段１０８での検索結果を、別エンコード方式コンテンツのファイルの有無を表す指標として、内蔵コンテンツ一覧表示手段１０７による一覧表示の該当する内蔵コンテンツの表示に対応させて表示する別エンコードファイル表示手段１０９とを備えた。【選択図】  図１
2007060005.tif 000002
【特許請求の範囲】
【請求項１】
コンテンツのファイルを格納する内蔵記憶装置と、
前記内蔵記憶装置内に格納された内蔵コンテンツのファイルを再エンコードし、別エンコード方式コンテンツのファイルとして、取り外し可能な外部記憶装置に転送する再エンコード手段と、
前記内蔵記憶装置内に格納されている内蔵コンテンツの一覧表示を行う内蔵コンテンツ一覧表示手段と、
前記内蔵記憶装置内に格納されている内蔵コンテンツのファイルに対応する別エンコード方式コンテンツのファイルを、前記内蔵記憶装置および前記外部記憶装置より検索する別エンコードファイル検索手段と、
前記別エンコードファイル検索手段での検索結果を、前記別エンコード方式コンテンツのファイルの有無を表す指標として、前記内蔵コンテンツ一覧表示手段による一覧表示の該当する内蔵コンテンツの表示に対応させて表示する別エンコードファイル表示手段とを備えたことを特徴とするデジタルデータ再生装置。
【請求項２】
請求項１記載のデジタルデータ再生装置において、
前記別エンコードファイル検索手段は、内蔵コンテンツのファイルに対応する別エンコード方式コンテンツのファイルの検索を、前記内蔵コンテンツのファイルおよび別エンコード方式コンテンツのファイルのファイル名、または前記再エンコード手段による再エンコード時に作成されるファイル情報に基づいて行うことを特徴とするデジタルデータ再生装置。
【請求項３】
請求項１または２記載のデジタルデータ再生装置において、
前記内蔵コンテンツ一覧表示手段による前記内蔵コンテンツの一覧表示に対して、前記内蔵コンテンツの削除指示があると、削除指示された前記内蔵コンテンツのファイルと共に、削除指示された前記内蔵コンテンツに対応する別エンコード方式コンテンツのファイルを削除するコンテンツ制御手段を備えたことを特徴とするデジタルデータ再生装置。
【請求項４】
請求項３記載のデジタルデータ再生装置において、
前記内蔵記憶装置内に格納された内蔵コンテンツは、一定時間経過後に削除される期限情報を有し、
前記コンテンツ制御手段は、前記期限情報に基づいて、削除対象の前記内蔵コンテンツのファイルと共に、前記削除対象の前記内蔵コンテンツに対応する別エンコード方式コンテンツのファイルを削除することを特徴とするデジタルデータ再生装置。
【請求項５】
請求項１または２記載のデジタルデータ再生装置において、
前記別エンコードファイル表示手段は、前記内蔵コンテンツおよび前記別エンコード方式コンテンツの視聴状況を検出し、前記別エンコード方式コンテンツのファイルの有無を表す指標と共に、前記視聴状況を表す指標を表示することを特徴とするデジタルデータ再生装置。
【発明の詳細な説明】
【技術分野】
【０００１】
本発明は、内部に格納された音声ファイルや動画ファイルなどのデジタルデータを再生するプレイヤー、レコーダー、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）などのデジタルデータ再生装置に関し、特に、外部メモリや他のプレイヤー用にファイルを転送可能なデジタルデータ再生装置におけるコンテンツの一覧表示に適用して有効な技術に関するものである。
【背景技術】
【０００２】
近年、ハードディスクレコーダーや録画機能つきＰＣに搭載されているハードディスクの大容量化が進み、かつ搭載チューナを複数にすることにより、従来の「見たい番組のみ録画する」考え方から、「見るかもしれない番組を録画する」ひいては「全部録画する」といった考え方で番組を録画していくユーザが多くなってきており、それに伴い録画されたコンテンツの量は増加する一方である。
【０００３】
このように録画コンテンツの量は増加するものの、それを視聴できる時間は限られている。そのため、移動中やちょっとした空き時間でも、コンテンツを視聴できるよう、携帯用プレイヤーでのコンテンツ視聴要求が高まっている。
【０００４】
このように多様化して増大しているコンテンツの効率的な閲覧方法としては、特許文献１のようにジャンル別や保存場所別のようなカテゴリー毎にライブラリとして登録して保存し、使用者がカテゴリーを選択したのち、コンテンツを選択することによって、コンテンツの閲覧を容易にする方法等が提案されている。
【特許文献１】特開２００４−２２１６７２号公報
【発明の開示】
【発明が解決しようとする課題】
【０００５】
ユーザが携帯用プレイヤーでコンテンツを視聴しようとする際、録画を行ったレコーダーやＰＣなどのコンテンツサーバにて、携帯用プレイヤーにて再生可能なデータ形式やビットレートに再エンコードを行い、そのファイルをプレイヤーに転送することになる。
【０００６】
ここで、再エンコードを行った後のファイルは、コンテンツ元ファイルとは別のファイルとなり、その後の管理は元ファイルとは別の管理を行うことになる。
【０００７】
例えば、Ａという録画ファイルがあり、それを携帯用プレイヤーにて再生可能な形式に再エンコードした結果、Ａ’というファイルが生成されたとする。ユーザが携帯用プレイヤーでＡ’を視聴し終わり、このコンテンツを削除したいと考えた場合、Ａ’だけではなく、コンテンツの内容としては同一である、Ａも削除したいと考えることが多いと思われる。
【０００８】
この場合、使用者は携帯用プレイヤーでＡ’を削除した後、サーバ上でＡを探索した上で、それを再度削除する、といった煩雑な作業が発生する。
【０００９】
また、特許文献１に記載されている構成にてこの作業を行う場合、まず、サーバ上でＡを削除した後、別カテゴリーとして登録されているＡ’を探索しそれを再度削除する、といった煩雑な作業が同様に発生する。
【００１０】
そこで、本発明の目的は、同一のコンテンツに対して、複数形式のファイルが存在する環境においても、ユーザに対して、煩雑な作業なくコンテンツの操作が可能な操作性を持つデジタルデータ再生装置を提供することを目的とする。
【課題を解決するための手段】
【００１１】
本願において開示される発明のうち、代表的なものの概要を簡単に説明すれば、次のとおりである。
【００１２】
本発明によるデジタルデータ再生装置は、コンテンツのファイルを格納する内蔵記憶装置と、内蔵記憶装置内に格納された内蔵コンテンツのファイルを再エンコードし、別エンコード方式コンテンツのファイルとして、取り外し可能な外部記憶装置に転送する再エンコード手段と、内蔵記憶装置内に格納されている内蔵コンテンツの一覧表示を行う内蔵コンテンツ一覧表示手段と、内蔵記憶装置内に格納されている内蔵コンテンツのファイルに対応する別エンコード方式コンテンツのファイルを、内蔵記憶装置および外部記憶装置より検索する別エンコードファイル検索手段と、別エンコードファイル検索手段での検索結果を、別エンコード方式コンテンツのファイルの有無を表す指標として、内蔵コンテンツ一覧表示手段による一覧表示の該当する内蔵コンテンツの表示に対応させて表示する別エンコードファイル表示手段とを備えたものである。
【００１３】
具体的には、内蔵記憶装置内に格納されている内蔵コンテンツの一覧表示を行う際に、各内蔵コンテンツにおける別エンコード方式のファイルを、内蔵記憶装置および外部記憶装置からの検索を行い、その検索結果を内蔵コンテンツ一覧表示手段と同時に表示するよう制御を行う。
【００１４】
同一コンテンツの有無は、その所在を表すアイコンを表示することにより表し、そのアイコンに対し削除等のファイル操作指示を行うことを可能とする。
【００１５】
同一コンテンツの有無は、その所在を表すアイコンの表示輝度や明度により表してもよい。この場合、上記に加えてそのアイコンに対しコンテンツの変換開始を行う指示を行うことを可能とする。
【００１６】
なお、別形式の同一コンテンツファイルを検索するために、ファイル作成時に同一ファイル名を持たせる制御、または作成したファイルに対して、ファイル作成元ファイル情報を持たせる制御、または元ファイルに対して、変換先ファイル名情報を持たせる制御を行う。
【発明の効果】
【００１７】
本願において開示される発明のうち、代表的なものによって得られる効果を簡単に説明すれば以下のとおりである。
【００１８】
本発明によれば、同一のコンテンツに対して、複数形式のファイルが存在する環境においても、ユーザに対して、煩雑な作業なくコンテンツの操作が可能な操作性を提供することができる。
【発明を実施するための最良の形態】
【００１９】
以下、本発明の実施の形態を図面に基づいて詳細に説明する。なお、実施の形態を説明するための全図において、同一の部材には原則として同一の符号を付し、その繰り返しの説明は省略する。
【００２０】
（実施の形態１）
＜デジタルデータ再生装置の構成＞
図１により、本発明の実施の形態１に係るデジタルデータ再生装置の構成について説明する。図１は本発明の実施の形態１に係るデジタルデータ再生装置の構成を示す構成図である。
【００２１】
図１において、デジタルデータ再生装置は、システムプロセッサ１０１、表示部１０２、入力部１０３、内蔵記憶装置１０４から構成され、外部記憶装置１０５および外部記憶装置１０６が接続されている。外部記憶装置１０５および外部記憶装置１０６は、取り外し可能な記憶装置で、メモリカード、光ディスク、ＵＳＢメモリ、外付けハードディスク、携帯電話等が挙げられる。また、接続した際に、外部記憶装置として認識される携帯用プレイヤーなどもこれに含まれる。本実施の形態では、外部記憶装置１０５は携帯電話、外部記憶装置１０６はメモリカードを例に説明する。
【００２２】
システムプロセッサ１０１は、ＣＰＵ、プログラムを格納しているＲＯＭ、プログラムを実行する際に必要なデータを格納するＲＡＭを有し、内蔵コンテンツ一覧表示手段１０７、別エンコードファイル検索手段１０８、別エンコードファイル表示手段１０９、再エンコード手段１１０、コンテンツ制御手段１１１の実現や各装置の制御を行う。
【００２３】
内蔵コンテンツ一覧表示手段１０７は、内蔵記憶装置１０４の内部に格納されているコンテンツの内容を、表示部１０２を使用して表示する手段である。
【００２４】
別エンコードファイル検索手段１０８は、指示されたコンテンツに対する、別エンコード方式のファイルを条件に従い、内蔵記憶装置１０４や外部記憶装置１０５および外部記憶装置１０６の中より検索する。
【００２５】
別エンコードファイル表示手段１０９は、別エンコードファイル検索手段１０８による検索結果を受け、当該コンテンツの別エンコード方式のファイルの有無を表すアイコンを、内蔵コンテンツ一覧に併せて表示する。
【００２６】
再エンコード手段１１０は、内蔵記憶装置１０４に格納されているコンテンツを、外部記憶装置１０５または外部記憶装置１０６を使用してコンテンツを再生するプレイヤーに適したエンコード形式への変換を行う。
【００２７】
コンテンツ制御手段１１１は、内蔵記憶装置１０４に格納されているコンテンツや、外部記憶装置１０５および外部記憶装置１０６に格納されているコンテンツなどの削除やコピーなどのファイル制御を行う。
【００２８】
表示部１０２は、各機能手段の実行結果の表示を行う。
【００２９】
入力部１０３は、ユーザからの指示を入力するものであり、キーボード、マウス等のポインティングデバイス、リモコン、カーソルキー、その他各種ボタンなどが含まれる。
【００３０】
内蔵記憶装置１０４はシステムプロセッサ１０１にて実行するプログラムや、ユーザデータ、再生するコンテンツファイルなどが格納されている。
【００３１】
外部記憶装置１０５および外部記憶装置１０６は、内蔵記憶装置１０４に格納されているコンテンツが再エンコード手段１１０によりエンコードされた別エンコード方式のファイルが格納されている。
【００３２】
＜内蔵コンテンツ一覧表示手段の表示例＞
次に、図２により、本発明の実施の形態１に係るデジタルデータ再生装置の内蔵コンテンツ一覧表示手段の表示例について説明する。図２は本発明の実施の形態１に係るデジタルデータ再生装置の内蔵コンテンツ一覧表示手段の表示例を説明するための説明図である。
【００３３】
図２に示す表示例は、特許文献１にて提案されている方法であり、内容の詳細は特許文献１に記載されているので、ここでは、本実施の形態の動作に関連する部分に限定し説明する。
【００３４】
図２において、本画面は大きく３つの領域に分割されており、カテゴリー選択領域２０１は、格納されているコンテンツのカテゴリー名称を表示しており、任意のカテゴリーを選択することでそのカテゴリー内のコンテンツをコンテンツ表示領域２０３内に一覧表示する。
【００３５】
コンテンツ種別選択領域２０２は、録画、動画、静止画、音楽等のコンテンツの種別が表示されており、ここを選択することにより、任意の種別のみのコンテンツを、コンテンツ表示領域２０３内に一覧表示する。
【００３６】
コンテンツ表示領域２０３は、カテゴリー選択領域２０１およびコンテンツ種別選択領域２０２にて選択されたコンテンツの内容を一覧表示する領域である。ここでは各コンテンツの存在を表す際に、コンテンツ画像表示領域２０４とコンテンツ情報表示領域２０５にて実現している。
【００３７】
コンテンツ画像表示領域２０４は、当該コンテンツのサムネイルや、ジャケット写真などそのコンテンツの特徴を現す画像を表示する領域である。
【００３８】
コンテンツ情報表示領域２０５は、当該コンテンツのタイトルやその他付帯する文字情報を表示する領域である。
【００３９】
＜デジタルデータ再生装置の動作＞
次に、図３〜図５により、本発明の実施の形態１に係るデジタルデータ再生装置の動作について説明する。本実施の形態では、内蔵記憶装置１０４と、外部記憶装置１０５および外部記憶装置１０６に格納された同一ファイル名をキーとして、別エンコードファイルを検索している。図３は本発明の実施の形態１に係るデジタルデータ再生装置の再エンコードの動作を示す図、図４は本発明の実施の形態１に係るデジタルデータ再生装置の別エンコードファイル検索の動作を示す図、図５は本発明の実施の形態１に係るデジタルデータ再生装置の別エンコードファイル存在時の表示例を示す図である。
【００４０】
まず、再エンコード手段１１０による再エンコード時の動作としては、図３に示すように、ユーザが入力部１０３を使用して、コンテンツの再エンコード指示を行い（Ｓ３０１）、再エンコード手段１１０は内蔵記憶装置１０４より当該ファイルを取得し、適切なエンコード方式に再エンコードを行う（Ｓ３０２）。
【００４１】
そして、再エンコードが終了すると、再エンコード手段１１０は変換後のファイル名を変換元のファイルと同一にし、拡張子のみ変換後のエンコード方式に即した形に変更した上で、外部記憶装置１０６に格納する（Ｓ３０３）。
【００４２】
例えば、図３に示すように、元ファイル名が「200503200140-10.mpg」であった場合、外部記憶装置１０６には「200503200140-10.asf」のように拡張子だけを変更したファイル名で格納する。
【００４３】
次に、再エンコード手段１１０が上記の動作をとった場合の、別エンコードファイル検索手段１０８による別エンコードファイルの検索時の動作としては、図４に示すように、ユーザが入力部１０３を使用して、内蔵コンテンツの一覧表示指示を行い（Ｓ４０１）、内蔵コンテンツ一覧表示手段１０７が内蔵記憶装置１０４に格納されているコンテンツを取得する（Ｓ４０２）。
【００４４】
そして、Ｓ４０２で同時に取得したコンテンツのそれぞれに対して、別エンコード方式ファイルの有無を別エンコードファイル検索手段１０８に対して問い合わせる（Ｓ４０３）。
【００４５】
そして、別エンコードファイル検索手段１０８は、指示を受けたコンテンツのファイル名のうち拡張子を除いた部分をキーに外部記憶装置１０６を検索し（Ｓ４０４）、有無を別エンコードファイル表示手段１０９に通知する(Ｓ４０５)。
【００４６】
そして、別エンコードファイル表示手段１０９は別エンコード方式のファイルが存在する場合、図５に示すように、別エンコード方式のファイルを示す指標となるアイコン５０１をコンテンツ画像表示領域２０４上に重ねて描画する（Ｓ４０６）。
【００４７】
図５に示す例では、外部記憶装置１０６はメモリカードであり、アイコン５０１はメモリカードを連想させる形状で描画している。内蔵コンテンツ一覧表示手段１０７はここまで説明した図４に示すＳ４０２からＳ４０６までの動作を、内蔵記憶装置１０４に格納されているコンテンツの数分繰り返して、内蔵コンテンツの一覧を作成し、表示部１０２を用いて表示する（Ｓ４０７）。
【００４８】
＜コンテンツの削除＞
次に、図６〜図８により、本発明の実施の形態１に係るデジタルデータ再生装置のコンテンツの削除動作について説明する。図６〜図８は本発明の実施の形態１に係るデジタルデータ再生装置のコンテンツの削除動作時の表示例を示す図であり、図６は別エンコード方式のファイルを含めた全ファイルを削除する際の表示例、図７は別エンコード方式のファイルのみを削除する際の表示例、図８は１つの別エンコード方式のファイルが削除された後の表示例を示している。
【００４９】
まず、図６に示すように、ユーザがマウスカーソルをコンテンツ画像表示領域２０４またはコンテンツ情報表示領域２０５上にある状態で、右クリックをすると、メニューにてコンテンツの削除を選択することが可能となる。ここで、削除を選択すると、コンテンツ制御手段１１１などの処理により、内蔵記憶装置１０４内の当該コンテンツだけでなく、外部記憶装置１０５および外部記憶装置１０６に存在する別エンコード方式ファイルも削除することを意味する。
【００５０】
次に、図７に示すように、アイコン５０１上で、マウスカーソルを右クリックし、削除を選択した場合は、選択したアイコンが示す別エンコード方式のファイルのみ削除することが可能である。図７に示す例では、外部記憶装置１０６上の別エンコード方式のファイルのみの削除を行うことになる。
【００５１】
図７に示す操作により、削除が終了すると、図８に示すように、外部記憶装置１０５の携帯電話を連想させる形状のアイコン９０１のみが存在する形でコンテンツ一覧が表示されることになる。
【００５２】
なお、削除処理時において、外部記憶装置１０５または外部記憶装置１０６が接続されていない場合などでは、別エンコード方式のファイルに対して削除予定などの情報を内蔵記憶装置１０４内に格納しておき、外部記憶装置１０５または外部記憶装置１０６が接続されたときに、削除予定の別エンコード方式のファイルを削除するようにしてもよい。
【００５３】
＜コンテンツの自動削除＞
次に、図９および図１０により、本発明の実施の形態１に係るデジタルデータ再生装置のコンテンツの自動削除動作について説明する。図９および図１０は本発明の実施の形態１に係るデジタルデータ再生装置のコンテンツの自動削除動作時の表示例を示す図であり、図９は別エンコード方式のファイルを含めた全ファイルの自動削除の設定が有った場合の表示例、図１０は一部の別エンコード方式のファイルに自動削除の設定が有った場合の表示例を示している。
【００５４】
コンテンツの録画時などにコンテンツの有効期限などが設定され、その有効期限後に自動削除されるコンテンツが有った場合は、図９に示すように、有効期限が設定されていることを示すアイコン１７０１が表示される。
【００５５】
図９に示す例では、アイコン１７０１により、当該コンテンツが自動削除されることを示しており、アイコン１７０１の次の数字が削除されるまでの日数を示している。図９に示す例では、５日後に当該コンテンツが自動的に削除されることを表している。
【００５６】
また、図９に示すように、アイコン群の一番先頭にアイコン１７０１が存在する場合は、有効期限が来た場合、内蔵記憶装置１０４のファイルだけでなく、外部記憶装置１０５および外部記憶装置１０６に存在する別エンコード方式ファイルも削除されることを意味している。
【００５７】
また、図１０に示すように、アイコン１７０１が他のアイコンの後ろに存在している場合は、その前にあるアイコン５０１が示す位置に存在する別エンコード方式ファイルのみ、自動的に削除されることを示している。図１０に示す例では、外部記憶装置１０６に存在する別エンコード方式ファイルが２日後に自動的に削除されることを示している。
【００５８】
そして、有効期限により自動的に削除されることとなったコンテンツは、コンテンツ制御手段１１１などの処理により、削除される。
【００５９】
なお、自動削除処理時において、外部記憶装置１０５または外部記憶装置１０６が接続されていない場合などでは、別エンコード方式のファイルに対して削除予定などの情報を内蔵記憶装置１０４内に格納しておき、外部記憶装置１０５または外部記憶装置１０６が接続されたときに、削除予定の別エンコード方式のファイルを削除するようにしてもよい。
【００６０】
＜外部記憶装置のアイコンの他の表示例＞
次に、図１１〜図１３により、本発明の実施の形態１に係るデジタルデータ再生装置の外部記憶装置のアイコンの他の表示例について説明する。図１１〜図１３は本発明の実施の形態１に係るデジタルデータ再生装置の外部記憶装置のアイコンの他の表示例を説明するための説明図であり、図１１は別エンコード方式ファイルが存在していない場合の暗転または半輝度表示の表示例、図１２は半輝度表示のアイコンをクリックした場合の表示例、図１３は外部記憶装置への別エンコード方式ファイル転送後の表示例を示している。
【００６１】
ここまで説明した例では、アイコンの有無により別エンコード方式ファイルの有無を表していたが、図１１に示すように、アイコン９０１が暗転または半輝度表示されている場合には、別エンコード方式ファイルが存在していないことを示すようにすることも可能である。
【００６２】
この場合、暗転または半輝度表示しているアイコン９０１をクリックすることで、そのアイコンが示す、外部記憶装置１０５へのファイルの再エンコードおよび転送機能を提供することが可能となる。
【００６３】
まず、ユーザが暗転または半輝度表示しているアイコン９０１をクリックすると、図１２に示すような、再エンコード処理の確認メッセージが表示され、ここでユーザがＯＫ指示をすることにより、再エンコード処理が動作することになる。そして、再エンコードおよび外部記憶装置１０５への転送が終了後、アイコン９０１の暗転または半輝度表示が解除され、図１３に示すようにコンテンツの所在が表示されることになる。
【００６４】
以上のように本実施の形態では、内蔵記憶装置１０４の内部に保存されているコンテンツの一覧表示を行う際に、各内蔵コンテンツにおける別ビットレートおよび別圧縮方式のファイルを、内蔵記憶装置１０４および外部記憶装置１０５、１０６から検索し、その検索結果を内蔵コンテンツ一覧表示時に一緒に表示するように制御することにより、同一のコンテンツに対して、複数形式のファイルが存在する環境においても、使用者に対して、煩雑な作業なくコンテンツの操作が可能な操作性を提供することが可能である。
【００６５】
（実施の形態２）
実施の形態２は、実施の形態１においては、同一ファイル名をキーとして別エンコード方式のファイルを検索する方法を説明したが、再エンコードしたファイルを再生するプレイヤーなどによっては、特定のファイル名しか認識しない場合があり、その場合は同一ファイル名では対応できないので、変換時に、変換先のファイル名を記録しておくようにしたものである。
【００６６】
実施の形態２のデジタルデータ再生装置の構成は実施の形態１と同様であり、別エンコードファイル検索手段１０８および再エンコード手段１１０以外の動作や表示例などは実施の形態１と同様である。
【００６７】
＜デジタルデータ再生装置の動作＞
次に、図１４〜図１６により、本発明の実施の形態２に係るデジタルデータ再生装置の動作について説明する。図１４は本発明の実施の形態２に係るデジタルデータ再生装置の再エンコードの動作を示す図、図１５は本発明の実施の形態２に係るデジタルデータ再生装置の変換先ファイル名の格納例を示す図、図１６は本発明の実施の形態２に係るデジタルデータ再生装置の別エンコードファイル検索の動作を示す図である。
【００６８】
まず、再エンコード手段１１０による再エンコード時の動作としては、図１４に示すように、ユーザが入力部１０３を使用して、コンテンツの再エンコード指示を行い（Ｓ６０１）、再エンコード手段１１０は内蔵記憶装置１０４より当該ファイルを取得し、適切なエンコード方式に再エンコードを行う（Ｓ６０２）。
【００６９】
そして、再エンコードが終了すると、再エンコード手段１１０は変換後のファイル名を再生するプレイヤーに即した形式（例えば、「PHONE001.3g2」、「CARD001.asf」など）として、格納する（Ｓ６０３、Ｓ６０４）。
【００７０】
同時に再エンコード手段１１０は変換したファイル名の情報を、内蔵記憶装置１０４内に変換元のファイルと同一名称で、拡張子のみ変更したファイルとして格納する（Ｓ６０５）。
【００７１】
例えば、図１４に示すように、元ファイル名が「200503200140-10.mpg」であった場合、「200503200140-10.cif」のように拡張子だけを変更したファイル名で格納する。
【００７２】
この変換先ファイル名の格納例としては、図１５に示すように、変換先ファイル名の格納エリア開始を示すタグ７０１に続いて、変換先ファイル名７０２を記載している。
【００７３】
次に、再エンコード手段１１０が上記の動作をとった場合の、別エンコードファイル検索手段１０８による別エンコードファイルの検索時の動作としては、図１６に示すように、ユーザが入力部１０３を使用して、内蔵コンテンツの一覧表示指示を行い（Ｓ８０１）、内蔵コンテンツ一覧表示手段１０７が内蔵記憶装置１０４に格納されているコンテンツを取得する（Ｓ８０２）。
【００７４】
そして、Ｓ８０２で同時に取得したコンテンツのそれぞれに対して、別エンコード方式ファイルの有無を別エンコードファイル検索手段１０８に対して問い合わせる（Ｓ８０３）。
【００７５】
そして、別エンコードファイル検索手段１０８は、指示を受けたコンテンツのファイル名の変換先ファイル情報を内蔵記憶装置１０４より取得し(Ｓ８０４)、情報内の変換先ファイル名７０２をもつファイルを外部記憶装置１０６から検索し（Ｓ８０５、Ｓ８０６）、有無を別エンコードファイル表示手段１０９に通知する(Ｓ８０７)。
【００７６】
そして、別エンコードファイル表示手段１０９はファイルが存在する場合、例えば、実施の形態１において説明した図１３に示すように、アイコン５０１およびアイコン９０１をコンテンツ画像表示領域２０４上に重ねて描画する（Ｓ８０８）。
【００７７】
図１３に示す例では、外部記憶装置１０６はメモリカードであり、アイコン５０１はメモリカードを連想させる形状で描画している。また、外部記憶装置１０５は携帯電話であり、アイコン９０１は携帯電話を連想させる形状で描画している。内蔵コンテンツ一覧表示手段１０７はここまで説明した図１６に示すＳ８０２からＳ８０８までの動作を、内蔵記憶装置１０４に格納されているコンテンツの数分繰り返して、内蔵コンテンツの一覧を作成し、表示部１０２を用いて表示する（Ｓ８０９）。
【００７８】
（実施の形態３）
実施の形態３は、実施の形態２と同様に、変換時に、変換先のファイル名を記録しておくようにしたものであり、その変換したファイル名を記録したファイルを外部記憶装置側に格納するようにしたものである。
【００７９】
実施の形態３のデジタルデータ再生装置の構成は実施の形態１および実施の形態２と同様であり、別エンコードファイル検索手段１０８および再エンコード手段１１０以外の動作や表示例などは実施の形態１および実施の形態２と同様である。
【００８０】
＜デジタルデータ再生装置の動作＞
次に、図１７〜図２０により、本発明の実施の形態３に係るデジタルデータ再生装置の動作について説明する。図１７は本発明の実施の形態３に係るデジタルデータ再生装置の再エンコードの動作を示す図、図１８は本発明の実施の形態３に係るデジタルデータ再生装置の変換先ファイル名の格納例を示す図、図１９は本発明の実施の形態３に係るデジタルデータ再生装置の別エンコードファイル検索の動作を示す図、図２０は本発明の実施の形態３に係るデジタルデータ再生装置の別エンコードファイル存在時の表示例を示す図である。
【００８１】
まず、再エンコード手段１１０による再エンコード時の動作としては、図１７に示すように、ユーザが入力部１０３を使用して、コンテンツの再エンコード指示を行い（Ｓ１００１）、再エンコード手段１１０は内蔵記憶装置１０４より当該ファイルを取得し、適切なエンコード方式に再エンコードを行う（Ｓ１００２）。
【００８２】
そして、再エンコードが終了すると、再エンコード手段１１０は変換後のファイル名を再生するプレイヤーに即した形式（例えば、「CARD001.asf」など）として、格納する（Ｓ１００３）。
【００８３】
同時に再エンコード手段１１０は変換元ファイル名の情報を、外部記憶装置１０６内に変換後のファイルと同一名称で、拡張子のみ変更したファイルとして格納する（Ｓ１００４）。
【００８４】
例えば、図１７に示すように、変換後のファイル名が「CARD001.asf」であった場合、「CARD001.cif」のように拡張子だけを変更したファイル名で格納する。
【００８５】
この変換先ファイル名の格納例としては、図１８に示すように、変換元ファイル名格納エリア開始を示すタグ１１０１に続いて、変換元ファイル名１１０２を記載している。また、本実施の形態では、リジューム位置情報開始を示すタグ１１０３に続いて、リジューム位置情報１１０４を記載し、未視聴を判断することができるようになっている。
【００８６】
次に、再エンコード手段１１０が上記の動作をとった場合の、別エンコードファイル検索手段１０８による別エンコードファイルの検索時の動作としては、図１９に示すように、ユーザが入力部１０３を使用して、内蔵コンテンツの一覧表示指示を行い（Ｓ１２０１）、内蔵コンテンツ一覧表示手段１０７が内蔵記憶装置１０４に格納されているコンテンツを取得する（Ｓ１２０２）。
【００８７】
そして、Ｓ１２０２で同時に取得したコンテンツそれぞれに対しての別エンコード方式ファイルの有無を別エンコードファイル検索手段１０８に対して問い合わせる（Ｓ１２０３）。
【００８８】
そして、別エンコードファイル検索手段１０８は、外部記憶装置１０６より、ある一定の拡張子を持つファイルを変換元ファイル名情報格納ファイルとして検索し、発見したファイル内の、タグ１１０１および変換元ファイル名１１０２を参照し、指示を受けたコンテンツのファイル名が格納されているものを検索する(Ｓ１２０４)。本例では拡張子が「.cif」のファイルを対象としている。
【００８９】
そして、変換元ファイル情報より、指示を受けたコンテンツ名を発見した場合、当該ファイルと同一名称を持つ動画ファイルを当該コンテンツの別エンコードファイルとして認識し（Ｓ１２０５）、その結果を別エンコードファイル表示手段１０９に通知する(Ｓ１２０６)。
【００９０】
そして、別エンコードファイル表示手段１０９はファイルが存在する場合、図２０に示すように、アイコン５０１をコンテンツ画像表示領域２０４上に重ねて描画する（Ｓ１２０７）。
【００９１】
ここで、別エンコードファイル表示手段１０９は、同時に別エンコードファイル検索手段１０８より、ファイルの視聴状態を、タグ１１０３およびリジューム位置情報１１０４の内容を参照することにより取得し、内蔵コンテンツ一覧表示手段１０７に通知する。
【００９２】
そして、内蔵コンテンツ一覧表示手段１０７は、内蔵記憶装置１０４内の元コンテンツの視聴状況を確認し、両方未試聴であると判断した場合は、未試聴アイコン１３０１をコンテンツ画像表示領域２０４上に重ねて描画する。
【００９３】
内蔵コンテンツ一覧表示手段１０７はここまで説明した図１９に示すＳ１２０２からＳ１２０７までの動作を、内蔵記憶装置１０４に格納されているコンテンツの数分繰り返して、内蔵コンテンツの一覧を作成し、表示部１０２を用いて表示する（Ｓ１２０８）。
【００９４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００９５】
本発明は、内部に格納された音声ファイルや動画ファイルなどのデジタルデータを再生するプレイヤー、レコーダー、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）などのデジタルデータ再生装置に関する。特に、外部メモリや他のプレイヤーを外部記憶装置として接続し、外部記憶装置に適したファイル形式でファイルを転送する装置に適用可能である。
【図面の簡単な説明】
【００９６】
【図１】本発明の実施の形態１に係るデジタルデータ再生装置の構成を示す構成図である。
【図２】本発明の実施の形態１に係るデジタルデータ再生装置の内蔵コンテンツ一覧表示手段の表示例を説明するための説明図である。
【図３】本発明の実施の形態１に係るデジタルデータ再生装置の再エンコードの動作を示す図である。
【図４】本発明の実施の形態１に係るデジタルデータ再生装置の別エンコードファイル検索の動作を示す図である。
【図５】本発明の実施の形態１に係るデジタルデータ再生装置の別エンコードファイル存在時の表示例を示す図である。
【図６】本発明の実施の形態１に係るデジタルデータ再生装置のコンテンツの別エンコード方式のファイルを含めた全ファイルを削除する際の表示例である。
【図７】本発明の実施の形態１に係るデジタルデータ再生装置のコンテンツの別エンコード方式のファイルのみを削除する際の表示例である。
【図８】本発明の実施の形態１に係るデジタルデータ再生装置のコンテンツの１つの別エンコード方式のファイルが削除された後の表示例である。
【図９】本発明の実施の形態１に係るデジタルデータ再生装置のコンテンツの別エンコード方式のファイルを含めた全ファイルの自動削除の設定が有った場合の表示例である。
【図１０】本発明の実施の形態１に係るデジタルデータ再生装置のコンテンツの一部の別エンコード方式のファイルに自動削除の設定が有った場合の表示例である。
【図１１】本発明の実施の形態１に係るデジタルデータ再生装置の外部記憶装置のアイコンの別エンコード方式ファイルが存在していない場合の暗転または半輝度表示の表示例である。
【図１２】本発明の実施の形態１に係るデジタルデータ再生装置の外部記憶装置のアイコンの半輝度表示のアイコンをクリックした場合の表示例である。
【図１３】本発明の実施の形態１に係るデジタルデータ再生装置の外部記憶装置のアイコンの外部記憶装置への別エンコード方式ファイル転送後の表示例である。
【図１４】本発明の実施の形態２に係るデジタルデータ再生装置の再エンコードの動作を示す図である。
【図１５】本発明の実施の形態２に係るデジタルデータ再生装置の変換先ファイル名の格納例を示す図である。
【図１６】本発明の実施の形態２に係るデジタルデータ再生装置の別エンコードファイル検索の動作を示す図である。
【図１７】本発明の実施の形態３に係るデジタルデータ再生装置の再エンコードの動作を示す図である。
【図１８】本発明の実施の形態３に係るデジタルデータ再生装置の変換先ファイル名の格納例を示す図である。
【図１９】本発明の実施の形態３に係るデジタルデータ再生装置の別エンコードファイル検索の動作を示す図である。
【図２０】本発明の実施の形態３に係るデジタルデータ再生装置の別エンコードファイル存在時の表示例を示す図である。
【符号の説明】
【００９７】
１０１…システムプロセッサ、１０２…表示部、１０３…入力部、１０４…内蔵記憶装置、１０５…外部記憶装置、１０６…外部記憶装置、１０７…内蔵コンテンツ一覧表示手段、１０８…別エンコードファイル検索手段、１０９…別エンコードファイル表示手段、１１０…再エンコード手段、１１１…コンテンツ制御手段、２０１…カテゴリー選択領域、２０２…コンテンツ種別選択領域、２０３…コンテンツ表示領域、２０４…コンテンツ画像表示領域、２０５…コンテンツ情報表示領域、５０１…アイコン、７０１…タグ、７０２…変換先ファイル名、９０１…アイコン、１１０１…タグ、１１０２…変換元ファイル名、１１０３…タグ、１１０４…リジューム位置情報、１３０１…未試聴アイコン、１７０１…アイコン。
【図１】
2007060005.tif 000003
【図２】
2007060005.tif 000004
【図３】
2007060005.tif 000005
【図４】
2007060005.tif 000006
【図５】
2007060005.tif 000007
【図６】
2007060005.tif 000008
【図７】
2007060005.tif 000009
【図８】
2007060005.tif 000010
【図９】
2007060005.tif 000011
【図１０】
2007060005.tif 000012
【図１１】
2007060005.tif 000013
【図１２】
2007060005.tif 000014
【図１３】
2007060005.tif 000015
【図１４】
2007060005.tif 000016
【図１５】
2007060005.tif 000017
【図１６】
2007060005.tif 000018
【図１７】
2007060005.tif 000019
【図１８】
2007060005.tif 000020
【図１９】
2007060005.tif 000021
【図２０】
2007060005.tif 000022